(57)【要約】  本発明のスライダー(1,2,3)は、上翼板(11)及び下翼板(12)を備えたスライダー本体部(10,10a,10b)と、停止爪体(40)と、停止爪体(40)を付勢する爪用弾性部材(6)と、上翼板(11)に一体的に形成されるベース部(20,50,70)と、ベース部(20,50,70)に対して回転可能に取着される操作カバー部(30,60,80)とを有し、操作カバー部(30,60,80)は、天板部(31)の内面から突出する押圧突出部(34)を有し、押圧突出部(34)は、操作カバー部(30,60,80)の回転により、停止爪体(40)がエレメント案内路(14)内に突出するロック状態と、押圧突出部(34)で停止爪体(40)を押圧して停止爪体(40)をエレメント案内路(14)から退出させるアンロック状態とを切り換えることが可能な構造を有する。これにより、操作カバー部(30,60,80)の回転による停止機構をスライダー(1,2,3)に比較的簡単な構造で設けることができるため、製造コストの削減や生産性の向上を図ることができる。
2020129217.tif 000002
【特許請求の範囲】
【請求項１】
上翼板(11)と、前記上翼板(11)との間にエレメント案内路(14)を形成する下翼板(12)と、前記上翼板(11)及び前記下翼板(12)間を連結する連結柱(13)とを備えたスライダー本体部(10,10a,10b)、前記スライダー本体部(10,10a,10b)に揺動可能に保持される停止爪体(40)、及び、前記停止爪体(40)を付勢して前記停止爪体(40)の一部を前記エレメント案内路(14)内に突出させる爪用弾性部材(6) を有するスライドファスナー用スライダー(1,2,3) であって、
前記上翼板(11)に一体的に形成されるベース部(20,50,70)と、前記ベース部(20,50,70)に対して回転可能に取着される操作カバー部(30,60,80)とが配され、
前記操作カバー部(30,60,80)は、前記ベース部(20,50,70)の上面に対向して配される天板部(31)と、前記天板部(31)の内面から突出し、前記停止爪体(40)を前記爪用弾性部材(6) の付勢力に抗して押圧する押圧突出部(34)とを有し、
前記押圧突出部(34)は、前記操作カバー部(30,60,80)の回転により、前記停止爪体(40)の付勢により前記停止爪体(40)の一部が前記エレメント案内路(14)内に突出するロック状態と、前記押圧突出部(34)で前記停止爪体(40)を押圧して前記停止爪体(40)の一部を前記エレメント案内路(14)から退出させるアンロック状態とを切り換えることが可能な構造を有する、
ことを特徴とするスライダー。
【請求項２】
前記押圧突出部(34)は、前記操作カバー部(30,60,80)の底面視にて前記操作カバー部(30,60,80)の回転軸を中心とする円弧状に形成され、
前記ベース部(20,50,70)は、前記ベース部(20,50,70)の平面視にて円弧状に形成されるとともに前記押圧突出部(34)を収容する収容凹溝部(21)を有し、
前記停止爪体(40)は、前記収容凹溝部(21)の少なくとも一部に重なって配され、
前記押圧突出部(34)は、前記停止爪体(40)を押圧して前記アンロック状態を保持する解除用突出部(34a,34e) と、前記天板部(31)からの突出寸法を前記解除用突出部(34a,34e) よりも小さくしたロック用突出部(34c) とを有する、
請求項１記載のスライダー。
【請求項３】
前記押圧突出部(34)は、前記解除用突出部(34a,34e) と前記ロック用突出部(34c) との間に連続して形成される連結突出部(34b,34d) を有し、
前記連結突出部(34b,34d) の頂端面は、前記解除用突出部(34a,34e) から前記ロック用突出部(34c) に向けて滑らかに傾斜する傾斜面に形成されている、
請求項２記載のスライダー。
【請求項４】
前記解除用突出部(34a,34e) は、円弧状の前記押圧突出部(34)の両端部に配される第１解除用突出部(34a) 及び第２解除用突出部(34e) を有し、
前記ロック用突出部(34c) は、円弧状の前記押圧突出部(34)の中央部に配され、
前記連結突出部(34b,34d) は、前記第１解除用突出部(34a) 及び前記ロック用突出部(34c) 間に形成される第１連結突出部(34b) と、前記第２解除用突出部(34e) 及び前記ロック用突出部(34c) 間に形成される第２連結突出部(34d) とを有する、
請求項３記載のスライダー。
【請求項５】
前記ベース部(20,50,70)の前記収容凹溝部(21)は、前記操作カバー部(30,60,80)の回転を、前記ロック状態となる基準位置から時計回り方向と反時計回り方向とにそれぞれ９０°以下の所定の回転角度で規制する規制端面(21a) を有する請求項２〜４のいずれかに記載のスライダー。
【請求項６】
前記操作カバー部(30,60,80)は、前記天板部(31)の内面から突出し、且つ、前記操作カバー部(30,60,80)の底面視にて前記操作カバー部(30,60,80)の回転軸を中心とする円弧状に形成される少なくとも１つのガイド突出部(36,66) を有し、
前記ベース部(20,50,70)は、前記ベース部(20,50,70)の平面視にて円弧状に形成されるとともに前記ガイド突出部(36,66) を収容するガイド凹溝部(23,53) と、前記ガイド凹溝部(23,53) に連結する少なくとも１つのバネ収容部(24,54) とを有し、
前記バネ収容部(24,54) に、前記ガイド突出部(36,66) を付勢する少なくとも１つのガイド用弾性部材(7) が収容され、
前記操作カバー部(30,60,80)の前記ガイド突出部(36,66) は、前記操作カバー部(30,60,80)が前記ロック状態となる基準位置にあるときに前記ガイド凹溝部(23,53) 内に保持され、且つ、前記操作カバー部(30,60,80)が前記基準位置から回転したときに前記バネ収容部(24,54) 内に進入するとともに、前記ガイド用弾性部材(7) により付勢される位置に配される、
請求項１〜５のいずれかに記載のスライダー。
【請求項７】
前記ガイド突出部(66)は、前記操作カバー部(60,80)の底面視にて、互いに対称的な形状を有するとともに対称的な位置に配される一対の第１及び第２ガイド突出部(66) を有し、
１つの前記ガイド用弾性部材(7) が、スライダー幅方向の中央部に配されるとともに、前記操作カバー部(60,80)が前記基準位置から回転したときに前記第１又は第２ガイド突出部(66)を付勢する、
請求項６記載のスライダー。
【請求項８】
前記ガイド用弾性部材(7) は、前記ベース部(20)の平面視にて、前記ベース部(20)の互いに対称的な位置に収容される一対の第１及び第２ガイド用弾性部材(7) を有し、
１つの前記ガイド突出部(36)が、スライダー幅方向の中央部に配されるとともに、前記操作カバー部(30)が前記基準位置から回転したときに第１又は第２ガイド用弾性部材(7) により付勢される、
請求項６記載のスライダー。
【請求項９】
前記ベース部(20,50) は、前記停止爪体(40)を収容する爪体収容凹部(18)を有し、
前記操作カバー部(30,60) は、前記天板部(31)の内面から突出し、且つ、前記爪体収容凹部(18)に収容された前記停止爪体(40)の一部を押さえる爪用突出部(35)を有し、
前記爪用突出部(35)は、前記操作カバー部(30,60) の底面視にて、前記押圧突出部(34)よりも内側に、且つ、前記操作カバー部(30,60) の回転軸を中心とする円弧状に形成される、
請求項１〜８のいずれかに記載のスライダー。
【請求項１０】
前記ベース部(70)は、前記停止爪体(40)を収容する爪体収容凹部(18)と、前記停止爪体(40)の揺動軸部を回転可能に保持する一対の爪体保持部(72)とを有する請求項１〜８のいずれかに記載のスライダー。
【発明の詳細な説明】
【技術分野】
【０００１】
本発明は、スライドファスナーに用いられるスライダーに関する。
【背景技術】
【０００２】
スライドファスナーに用いられるスライダーは、ファスナーテープに設けられた左右のエレメント列に沿って摺動させることにより、エレメント列を噛合又は分離させることができる。このようなスライダーは、一般的に、スライダー胴体と、スライダー胴体に対して回動可能に保持された引手とを有しており、スライダー胴体の上下翼板間には、左右のエレメント列が案内される略Ｙ字状のエレメント案内路が形成されている。【０００３】
スライダーの１つとして、エレメント列上の任意の位置でスライダーを停止させたときに、スライダー胴体のエレメント案内路内に停止爪体の一部を自動的に突出させてエレメント列のファスナーエレメントと係合させることにより、スライダーの停止状態を保持する（言い換えると、スライダーをエレメント列の停止位置で保持する）ことが可能な自動停止機構を備えたスライダーが知られている。【０００４】
また、上述のような引手の代わりに、スライダー胴体に対して回転可能に設けられる回転体を有するスライダーが、実公平７―２８３６９号公報（特許文献１）や、中国特許第１０５２３１６０２号明細書（特許文献２）に記載されている。特許文献１及び２に記載されている回転体を有するスライダーは、スライダー胴体に対して回転体を回転させることにより、停止爪又は停止爪体の一部をスライダー胴体のエレメント案内路内に突出させてスライダーの停止状態を保持するロック状態と、停止爪又は停止爪体の一部をエレメント案内路から退出させてロック状態を解除したアンロック状態（ロック解除状態）とを切り換えることが可能に形成されている。【０００５】
ここで、スライダーをロック状態に切り換える場合、停止爪又は停止爪体の一部を左右のエレメント列のうちの一方のエレメント列に対して突出させることにより、その停止爪又は停止爪体の一部を、当該エレメント列の互いに隣接するファスナーエレメント間の隙間（特に、ファスナーエレメントの噛合頭部間の隙間）に挿入する。これにより、停止爪又は停止爪体の一部とファスナーエレメントとが係合して、スライダーをエレメント列の停止位置で移動しないように保持することができる。
【先行技術文献】
【特許文献】
【０００６】
【特許文献１】実公平７―２８３６９号公報
【特許文献２】中国特許第１０５２３１６０２号明細書
【発明の概要】
【発明が解決しようとする課題】
【０００７】
特許文献１及び２に記載されているスライダーでは、上述のように回転体を回転させることにより、ロック状態とアンロック状態とを切り換えることが可能な停止機構を備えているが、その停止機構が複雑な構造で形成されている。その結果、例えば特許文献１の場合、スライダーの構成部品が増大するとともに、スライダーの組み立て作業が煩雑になるため、製造コストの増大や生産性の低下を招いていた。また、特許文献２の場合、スライダーの構成部品自体が複雑で細かな形状で形成されているため、部品の製造や管理が煩雑化し、製造コストの増大を招いていた。【０００８】
更に特許文献１及び２に記載されているスライダーでは、回転体を含む停止機構の構成部分が、スライダー全体に対して大きく形成されていて、スライダーの外観に大きな影響を与えるため、スライダーの外観品質の低下を招くことや、スライダーのデザインが制限されることがあった。【０００９】
また、特許文献１及び２のスライダーの場合、使用者がスライダーを停止させた後に回転体を回転させてスライダーのアンロック状態からロック状態に切り換える操作を行う必要がある。このような回転体の切り換え操作は、使用者に煩わしさを感じさせるため、スライダーの操作性を向上させることが求められていた。【００１０】
本発明は上記従来の課題に鑑みてなされたものであって、その具体的な目的は、ロック状態からアンロック状態に回転操作で切り換えられる停止機構が比較的簡単な構造で形成され、また、容易に組み立てることが可能で、更には、従来の回転体を有するスライダーとは全く異なる外観品質やデザインを備えることが可能なスライダーを提供することにある。
【課題を解決するための手段】
【００１１】
上記目的を達成するために、本発明により提供されるスライドファスナー用スライダーは、上翼板と、前記上翼板との間にエレメント案内路を形成する下翼板と、前記上翼板及び前記下翼板間を連結する連結柱とを備えたスライダー本体部、前記スライダー本体部に揺動可能に保持される停止爪体、及び、前記停止爪体を付勢して前記停止爪体の一部を前記エレメント案内路内に突出させる爪用弾性部材を有するスライドファスナー用スライダーであって、前記上翼板に一体的に形成されるベース部と、前記ベース部に対して回転可能に取着される操作カバー部とが配され、前記操作カバー部は、前記ベース部の上面に対向して配される天板部と、前記天板部の内面から突出し、前記停止爪体を前記爪用弾性部材の付勢力に抗して押圧する押圧突出部とを有し、前記押圧突出部は、前記操作カバー部の回転により、前記停止爪体の付勢により前記停止爪体の一部が前記エレメント案内路内に突出するロック状態と、前記押圧突出部で前記停止爪体を押圧して前記停止爪体の一部を前記エレメント案内路から退出させるアンロック状態とを切り換えることが可能な構造を有することを最も主要な特徴とするものである。【００１２】
本発明に係るスライダーにおいて、前記押圧突出部は、前記操作カバー部の底面視にて前記操作カバー部の回転軸を中心とする円弧状に形成され、前記ベース部は、前記ベース部の平面視にて円弧状に形成されるとともに前記押圧突出部を収容する収容凹溝部を有し、前記停止爪体は、前記収容凹溝部の少なくとも一部に重なって配され、前記押圧突出部は、前記停止爪体を押圧して前記アンロック状態を保持する解除用突出部と、前記天板部からの突出寸法を前記解除用突出部よりも小さくしたロック用突出部とを有することが好ましい。【００１３】
この場合、前記押圧突出部は、前記解除用突出部と前記ロック用突出部との間に連続して形成される連結突出部を有し、前記連結突出部の頂端面は、前記解除用突出部から前記ロック用突出部に向けて滑らかに傾斜する傾斜面に形成されていることが好ましい。【００１４】
また、前記解除用突出部は、円弧状の前記押圧突出部の両端部に配される第１解除用突出部及び第２解除用突出部を有し、前記ロック用突出部は、円弧状の前記押圧突出部の中央部に配され、前記連結突出部は、前記第１解除用突出部及び前記ロック用突出部間に形成される第１連結突出部と、前記第２解除用突出部及び前記ロック用突出部間に形成される第２連結突出部とを有することが特に好ましい。【００１５】
更に、前記ベース部の前記収容凹溝部は、前記操作カバー部の回転を、前記ロック状態となる基準位置から時計回り方向と反時計回り方向とにそれぞれ９０°以下の所定の回転角度で規制する規制端面を有することが好ましい。【００１６】
また、本発明のスライダーにおいて、前記操作カバー部は、前記天板部の内面から突出し、且つ、前記操作カバー部の底面視にて前記操作カバー部の回転軸を中心とする円弧状に形成される少なくとも１つのガイド突出部を有し、前記ベース部は、前記ベース部の平面視にて円弧状に形成されるとともに前記ガイド突出部を収容するガイド凹溝部と、前記ガイド凹溝部に連結する少なくとも１つのバネ収容部とを有し、前記バネ収容部に、前記ガイド突出部を付勢する少なくとも１つのガイド用弾性部材が収容され、前記操作カバー部の前記ガイド突出部は、前記操作カバー部が前記ロック状態となる基準位置にあるときに前記ガイド凹溝部内に保持され、且つ、前記操作カバー部が前記基準位置から回転したときに前記バネ収容部内に進入するとともに、前記ガイド用弾性部材により付勢される位置に配されることが好ましい。【００１７】
この場合、前記ガイド突出部は、前記操作カバー部の底面視にて、互いに対称的な形状を有するとともに対称的な位置に配される一対の第１ガイド突出部及び第２ガイド突出部を有し、１つの前記ガイド用弾性部材が、スライダー幅方向の中央部に配されるとともに、前記操作カバー部が前記基準位置から回転したときに前記第１ガイド突出部又は前記第２ガイド突出部を付勢することが好ましい。【００１８】
また本発明において、前記ガイド用弾性部材は、前記ベース部の平面視にて、前記ベース部の互いに対称的な位置に収容される一対の第１ガイド用弾性部材及び第２ガイド用弾性部材を有し、１つの前記ガイド突出部が、スライダー幅方向の中央部に配されるとともに、前記操作カバー部が前記基準位置から回転したときに第１ガイド用弾性部材又は第２ガイド用弾性部材により付勢されていても良い。【００１９】
更に、本発明のスライダーにおいて、前記ベース部は、前記停止爪体を収容する爪体収容凹部を有し、前記操作カバー部は、前記天板部の内面から突出し、且つ、前記爪体収容凹部に収容された前記停止爪体の一部を押さえる爪用突出部を有し、前記爪用突出部は、前記操作カバー部の底面視にて、前記押圧突出部よりも内側に、且つ、前記操作カバー部の回転軸を中心とする円弧状に形成されることが好ましい。【００２０】
また本発明において、前記ベース部は、前記停止爪体を収容する爪体収容凹部と、前記停止爪体の揺動軸部を回転可能に保持する一対の爪体保持部とを有していても良い。
【発明の効果】
【００２１】
本発明に係るスライダーは、上翼板、下翼板、及び連結柱を備えたスライダー本体部と、スライダー本体部に揺動可能に保持される停止爪体と、その停止爪体を付勢する爪用弾性部材を有するとともに、スライダー本体部の上翼板に一体的に形成されるとともに例えばスライダー本体部の平面視で円形を呈するベース部と、ベース部の外周側面に摺接してベース部に対して回転可能に取着される操作カバー部とを有する。操作カバー部は、ベース部の上面に対向して配される薄板状の天板部と、天板部の内面から突出し、停止爪体を爪用弾性部材の付勢力に抗して押圧する押圧突出部とを有しており、押圧突出部は、操作カバー部の回転により、停止爪体の付勢により停止爪体の一部がエレメント案内路内に突出するロック状態と、押圧突出部で停止爪体を押圧して停止爪体の一部をエレメント案内路から退出させるアンロック状態（ロック解除状態）とを切り換えることが可能な構造を有する。【００２２】
このような本発明のスライダーであれば、操作カバー部の回転操作でスライダーのロック状態とアンロック状態とが切り換えられる停止機構を、比較的簡単で特徴的な形状を有する押圧突出部によって形成できる。また、このような停止機構を備える本発明のスライダーは、停止爪体及び爪用弾性部材がスライダーの所定の位置にセット（収容又は保持）された状態で、操作カバー部をベース部の上面に対向させるとともにベース部に対して回転可能に取り付けることによって、容易に組み立てることが可能である。【００２３】
更に、本発明のスライダーでは、スライダー本体部が操作カバー部によって上方から覆われるため、スライダー本体部をスライダーの上面側から見えなくする又は見え難くすることが可能である。このため、本発明では、前述の特許文献１及び２に記載されているスライダーとは全く異なる外観品質や、従来のスライダーにはない新しいデザインでスライダーを形成することが可能となる。【００２４】
このような本発明のスライダーにおいて、操作カバー部の押圧突出部は、操作カバー部の底面視にて操作カバー部の回転軸を中心とする円弧状に形成されている。また、ベース部は、ベース部の平面視にて円弧状に形成されるとともに押圧突出部を収容する収容凹溝部を有しており、停止爪体は、ベース部の収容凹溝部の少なくとも一部に重なって設置され、好ましくは、収容凹溝部を横断して設置される。更に、押圧突出部は、天板部からの突出寸法が互いに異なる解除用突出部及びロック用突出部を有する。このようにベース部及び操作カバー部が形成されていることにより、操作カバー部の回転操作でスライダーのロック状態とアンロック状態とを容易に切り換えることができる。【００２５】
この場合、押圧突出部は、解除用突出部とロック用突出部との間に連続して形成される連結突出部を有しており、この連結突出部は、天板部からの突出寸法を解除用突出部からロック用突出部に向けて漸減させて形成されている。更に、連結突出部の天板部から離れて配される頂端面（突出端面）は、解除用突出部からロック用突出部に向けて滑らかに傾斜する傾斜面に形成されている。このような連結突出部が押圧突出部に設けられていることにより、操作カバー部を回転させるときに押圧突出部が停止爪体に引っ掛かり難くなるため、押圧突出部の解除用突出部で停止爪体を押圧するアンロック状態と、押圧突出部のロック用突出部で保持されるロック状態とを円滑に切り換えることができる。【００２６】
またこの場合、押圧突出部は、押圧突出部の両端部に配される第１解除用突出部及び第２解除用突出部と、押圧突出部の中央部に配されるロック用突出部と、第１解除用突出部及びロック用突出部間に形成される第１連結突出部と、第２解除用突出部及びロック用突出部間に形成される第２連結突出部とを有することにより、スライダーの平面視において、操作カバー部をロック状態となる基準位置から時計回り方向に回転させても、また、反時計回り方向に回転させても、ロック状態からアンロック状態に切り換えることができる。【００２７】
更に、ベース部の収容凹溝部によって、操作カバー部の回転を基準位置から時計回り方向と反時計回り方向とにそれぞれ９０°以下の所定の回転角度で規制することができる。これにより、９０°以下の所定の角度まで操作カバー部を回転させることによって、スライダーをロック状態からアンロック状態に安定して切り換えることができるため、アンロック状態への切り換え操作を容易に且つ確実に行うことができ、スライダーの操作性を向上させることができる。【００２８】
また本発明のスライダーにおいて、操作カバー部は、天板部の内面から突出し、且つ、操作カバー部の底面視にて操作カバー部の回転軸を中心とする円弧状に形成される少なくとも１つのガイド突出部を有する。ベース部は、ベース部の平面視にて円弧状に形成されるとともにガイド突出部を収容するガイド凹溝部と、ガイド凹溝部に連結する少なくとも１つのバネ収容部とを有しており、そのバネ収容部には、ガイド突出部を付勢する少なくとも１つのガイド用弾性部材が収容されている。更に、操作カバー部のガイド突出部は、操作カバー部がロック状態となる基準位置にあるときにガイド凹溝部内に保持され、且つ、操作カバー部が基準位置から回転したときにバネ収容部内に進入し、ガイド用弾性部材により前記回転を戻す方向に付勢されるような位置に配されている。【００２９】
これにより、例えば使用者がスライダーの摺動操作を終了させて指を操作カバー部から離したときに、ガイド用弾性部材の付勢力によって操作カバー部を上述した基準位置に戻すことができるため、スライダーをアンロック状態からロック状態に自動的に切り換える自動停止機構を形成することができる。この自動停止機構により、使用者が意識しなくても、スライダーを摺動可能なアンロック状態からロック状態に自動的に切り換えることができるため、スライダーの操作性を大きく向上させることができる。【００３０】
この場合、ガイド突出部は、互いに対称的な一対の第１ガイド突出部及び第２ガイド突出部を有しており、また、１つのガイド用弾性部材は、スライダー幅方向の中央部に配されている。これにより、操作カバー部が基準位置から時計回り方向又は反時計回り方向に回転したときに、第１ガイド突出部及び第２ガイド突出部の何れか一方をガイド用弾性部材で安定して付勢することができるため、操作カバー部を基準位置からどちらの方向に回転させても、上述した自動停止機構を安定して発揮させることができる。【００３１】
なお本発明において、ガイド用弾性部材は、ベース部の平面視にて、ベース部の互いに対称的な位置に収容される一対の第１ガイド用弾性部材及び第２ガイド用弾性部材を有しており、また、１つのガイド突出部が、スライダー幅方向の中央部に配されていても良い。これによっても、操作カバー部が基準位置から時計回り方向又は反時計回り方向に回転したときに、１つのガイド突出部を第１ガイド用弾性部材及び第２ガイド用弾性部材の何れか一方で安定して付勢することができるため、操作カバー部を基準位置からどちらの方向に回転させても、上述した自動停止機構を安定して発揮させることができる。【００３２】
更に本発明のスライダーにおいて、ベース部は、停止爪体を収容する爪体収容凹部を有しており、また、操作カバー部は、天板部の内面から突出し、且つ、爪体収容凹部に収容された停止爪体の一部を押さえる爪用突出部を有する。更に、爪用突出部は、操作カバー部の底面視にて、押圧突出部よりも内側に、且つ、操作カバー部の回転軸を中心とする円弧状に形成されている。これにより、停止爪体を上翼板に対して揺動可能に容易に且つ安定して取り付けることができる。【００３３】
なお本発明では、操作カバー部が上述のような爪用突出部を有する代わりに、ベース部が、停止爪体の揺動軸部を回転可能に保持する一対の爪体保持部を有していても良い。これによっても、停止爪体を上翼板に対して揺動可能に容易に且つ安定して取り付けることができる。
【図面の簡単な説明】
【００３４】
【図１】本発明の実施例１に係るスライダーを模式的に示す斜視図である。
【図２】実施例１のスライダーが分解された状態を模式的に示す分解斜視図である。
【図３】実施例１のスライダーにおいて、操作カバー部が取り付けられる前の状態を模式的に示す斜視図である。
【図４】実施例１の操作カバー部を内面側から見た斜視図である。
【図５】実施例１のスライダーを下方側から見た底面図である。
【図６】実施例１のスライダーを右側から見た右側面図である。
【図７】図５に示したＶＩＩ−ＶＩＩ線における断面図である。
【図８】図６に示したＶＩＩＩ−ＶＩＩＩ線における断面図である。
【図９】図８に示したＩＸ−ＩＸ線における断面図である。
【図１０】本発明の実施例２に係るスライダーが分解された状態を模式的に示す分解斜視図である。
【図１１】実施例２のスライダーにおいて、操作カバー部が取り付けられる前の状態を模式的に示す斜視図である。
【図１２】実施例２の操作カバー部を内面側から見た斜視図である。
【図１３】本発明の実施例３に係るスライダーにおいて、操作カバー部が取り付けられる前の状態を模式的に示す斜視図である。
【図１４】実施例３の操作カバー部を内面側から見た斜視図である。
【図１５】実施例３のスライダーにおいて、停止爪体の取り付けを模式的に説明する説明図である。
【図１６】実施例３のスライダーにおける幅方向に直交する断面を模式的に示す断面図である。
【発明を実施するための形態】
【００３５】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００３６】
例えば、以下の実施形態で説明するスライダーは、複数のファスナーエレメントがコイル状に連続するエレメント列を備えたスライドファスナーに使用されるスライダーである。しかし、本発明は、これに限定されるものではなく、例えば合成樹脂製の複数の独立したファスナーエレメントを備えたスライドファスナーに使用されるスライダーや、金属製の複数のファスナーエレメントを備えたスライドファスナーに使用されるスライダー等にも同様に適用することができる。
【実施例１】
【００３７】
図１は、本実施例１に係るスライダーを模式的に示す斜視図であり、図２は、スライダーが分解された状態を模式的に示す分解斜視図である。【００３８】
なお、以下の説明において、スライダー摺動方向を前後方向又はスライダー長さ方向と規定し、特に、スライダーがスライドファスナーのエレメント列を噛合させるために移動する方向を前方とし、エレメント列を分離させるために移動する方向を後方とする。また、スライダーの高さ方向を上下方向と規定し、特に、スライダーの下翼板から上翼板に向かう方向又はスライダーのベース部に対して操作カバー部が取り付けられる側の方向を上方とし、その反対側の方向を下方とする。更に、スライダーの摺動方向及び高さ方向に対して直交する幅方向を左右方向と規定する。【００３９】
本実施例１のスライドファスナー用スライダー１は、図２に示すように、スライダー本体部１０と、スライダー本体部１０に収容されて揺動可能に保持される停止爪体４０と、スライダー本体部１０の所定の位置に保持される１つの爪用コイルバネ（爪用弾性部材）６及び２つのガイド用コイルバネ（ガイド用弾性部材）７、スライダー本体部１０に回転可能に係着する操作カバー部３０とを有する。ここで、爪用コイルバネ６及びガイド用コイルバネ７には、鋼材をラセン状にした一般的な圧縮コイルバネが使用される。【００４０】
本実施例１のスライダー１において、スライダー本体部１０及び操作カバー部３０は、アルミニウム合金、亜鉛合金などの金属をダイキャスト成形することにより製造される。停止爪体４０は、ステンレスや銅合金等の金属をプレス成形又はダイキャスト成形することにより製造される。なお本発明において、スライダーの材質や各部品の製造方法は特に限定されず、例えばスライダー本体部１０や操作カバー部３０を、上述のような金属に代えて、それぞれポリアミドやポリアセタール等の熱可塑性樹脂などを射出成形して製造することもできる。【００４１】
本実施例１のスライダー本体部１０は、上翼板１１と、上翼板１１と平行に配される下翼板１２と、上翼板１１及び下翼板１２の前端部（肩口側端部）を連結する連結柱１３と、上翼板１１の上面側に上翼板１１と一体的に形成されるベース部２０とを有する。スライダー本体部１０の前端部には、連結柱１３を間に挟んで左右の肩口が形成されており、スライダー本体部１０の後端部には１つの後口が形成されている。また、スライダー本体部１０の上翼板１１と下翼板１２の間には、左右の肩口と後口とを連通する略Ｙ字形状のエレメント案内路１４が形成されている。【００４２】
更に、上翼板１１の左右側部には、下翼板１２に向けて延出する左右のフランジ部１５が設けられており、下翼板１２の左右側部には、上翼板１１に向けて突出する左右のリブ部１６が設けられている。この場合、左右のフランジ部１５と左右のリブ部１６との間には、スライドファスナーを形成したときにファスナーテープを挿通させるためのテープ挿通間隙が、スライダー本体部１０の肩口から後口にかけて連続して形成されている。【００４３】
スライダー本体部１０のベース部２０は、高さ方向に直交する断面形状の外形が円形となる円盤状の形態で上翼板１１と一体的に形成されている。本実施例１の場合、エレメント案内路１４の上壁面を形成する部分を上翼板１１とし、円盤状の部分をベース部２０とするが、必要に応じて、上翼板１１とベース部２０をまとめて、ベース部（又は上翼板）と称しても良い。【００４４】
ベース部２０は、高さ方向に直交して配される平坦な上面２０ａと、筒状の外周側面と、上面２０ａの反対側に配される下面とを有しており、上面２０ａ及び下面に対して稜線部を介して形成される外周側面は、ベース部２０の周方向の全体に亘って一定の高さ寸法（上下方向における寸法）を有するとともに、凹凸のない滑らかな曲面に形成されている。【００４５】
本実施例１のベース部２０の直径は、例えば図５に示すように、下翼板１２の幅寸法（左右方向における寸法）の最大値よりも大きく、且つ、下翼板１２の長さ寸法（前後方向における寸法）の最大値よりも小さくなるように設定されている。ベース部２０が上述のような直径を有することにより、スライダー１の製造工程において、ベース部２０に操作カバー部３０を取り付ける作業を行い易くすることができる。また、ベース部２０に対して操作カバー部３０を回転させるときに操作カバー部３０の回転操作を行い易くすることができる。【００４６】
ベース部２０の下面側の外周縁部には、操作カバー部３０の後述する左右の取付片部３７の少なくとも一部が挿入されるとともに、その取付片部３７を摺接させる摺接部（摺接凹部）２０ｂが設けられている。この摺接部２０ｂは、例えばスライダー本体部１０の底面視（図５）において、ベース部２０の下翼板１２と重ならない領域に配されており、且つ、ベース部２０の中央側の下面に対し、段差を介してベース部２０の厚さ寸法を減少させる位置（ベース部２０の上面２０ａに近い位置）に配されている。【００４７】
スライダー本体部１０の前端部には、図７及び図９に示したように、爪用コイルバネ６を収容して保持する有底収容孔部１７が高さ方向に沿って形成されている。この有底収容孔部１７は、スライダー本体部１０の平面視において連結柱１３が形成される領域内に設けられ、また、ベース部２０の上面２０ａに開口している。有底収容孔部１７の大きさは、有底収容孔部１７内に保持する爪用コイルバネ６の大きさに対応して任意に変更できる。【００４８】
また、スライダー本体部１０には、停止爪体４０を挿入して収容する爪体収容凹部１８が、ベース部２０の上面２０ａに開口して形成されている。この爪体収容凹部１８は、スライダー１の長さ方向に沿って形成されるとともに停止爪体４０の後述する爪体本体部を収容する本体収容凹部１８ａと、本体収容凹部１８ａから幅方向に沿って形成され停止爪体４０の後述する揺動軸部４３を収容する左右の軸収容凹部１８ｂと、本体収容凹部１８ａの後端部に形成されるとともにエレメント案内路１４に連通する爪孔部１８ｃとを有する。【００４９】
爪体収容凹部１８の本体収容凹部１８ａは、スライダー本体部１０の有底収容孔部１７に連通している。この本体収容凹部１８ａの底面は、図７に示すように、停止爪体４０の揺動動作を許容するために、爪孔から前方に向けて本体収容凹部１８ａの深さ寸法が漸減するように上り傾斜する上り傾斜部と、有底収容孔部１７に向けて（前方に向けて）本体収容凹部１８ａの深さ寸法が漸増するように下り傾斜する下り傾斜部とを有する。【００５０】
更に本実施例１のベース部２０は、ベース部２０の前半部に円弧状に形成される収容凹溝部２１と、収容凹溝部２１よりも半径方向の内側に半円形状に凹設される中央収容凹部２２と、ベース部２０の後端部に円弧状に形成されるガイド凹溝部２３と、ガイド凹溝部２３の左右両側に直線状に凹設される左右一対のバネ収容部２４とを有する。【００５１】
この場合、円弧状の収容凹溝部２１と、中央収容凹部２２を形成する円弧状の前側内壁面と、円弧状のガイド凹溝部２３とは、ベース部２０の平面視にて、操作カバー部３０の回転軸を中心とする同心円状に形成されている。また、収容凹溝部２１、中央収容凹部２２、ガイド凹溝部２３、及び左右のバネ収容部２４における各底面は、スライダー本体部１０の高さ方向に関して、上述した本体収容凹部１８ａの底面よりも浅い位置（ベース部２０の上面２０ａに近い高さ位置）に配されている。【００５２】
収容凹溝部２１は、ベース部２０に操作カバー部３０を所定の向きで取り付けたときに、操作カバー部３０の後述する押圧突出部３４を挿入して収容可能で、且つ、操作カバー部３０を回転させても押圧突出部３４の収容状態を維持可能な位置及び大きさで形成されている。また、収容凹溝部２１は、上述した爪体収容凹部１８の本体収容凹部１８ａを略幅方向に横切って形成されている。このため、爪体収容凹部１８に停止爪体４０が収容されたときに、その停止爪体４０は、収容凹溝部２１を長さ方向に沿って交差する状態で保持される。【００５３】
収容凹溝部２１における収容凹溝部２１の深さ寸法、すなわち、ベース部２０の上面２０ａの位置から収容凹溝部２１の底面までの上下方向における寸法（以下、このような底面までの寸法を深さ寸法と略記する）は、収容凹溝部２１の本体収容凹部１８ａを横切る部分を除く領域で一定である。【００５４】
また、収容凹溝部２１は、収容凹溝部２１の左右の両端部に、ベース部２０の周方向に対して直交するとともに上下方向に平行な平面で形成される左右の側端面２１ａを有しており、このような左右の側端面２１ａは、操作カバー部３０の回転可能な角度を規制する左右の規制端面として利用される。すなわち、収容凹溝部２１に形成される左右の側端面（規制端面）２１ａは、ベース部２０の収容凹溝部２１に操作カバー部３０の押圧突出部３４が挿入されて収容された場合において、操作カバー部３０を回転させたときに操作カバー部３０の押圧突出部３４を当接させることによって、操作カバー部３０の回転可能な角度を規制することができる。【００５５】
本実施例１において、収容凹溝部２１の左右の側端面（規制端面）２１ａは、操作カバー部３０が、スライダー１を後述するようにロック状態に保持できる基準位置から、スライダー１の平面視における時計回り方向と反時計回り方向の両方に、それぞれ３０°まで回転可能な位置に設定されている。すなわち、本実施例１における操作カバー部３０の基準位置からの回転可能範囲は、時計回り方向及び反時計回り方向ともに３０°以下に設定されている。言い換えると、操作カバー部３０の基準位置からの回転限界角度は、時計回り方向及び反時計回り方向ともに３０°である。【００５６】
なお本発明において、操作カバー部３０の時計回り方向及び反時計回り方向の回転可能範囲は、収容凹溝部２１の左右の側端面（規制端面）２１ａによって、ベース部２０の構造上、基準位置から９０°以下に設定され、好ましくは４５°以下に設定される。回転可能範囲を９０°以下にすることにより、ベース部２０にガイド凹溝部２３やバネ収容部２４を安定して形成できるため、スライダー１に、後述するように回転させた操作カバー部３０を基準位置に自動的に戻す機能を持たせることができる。また、スライダー１をアンロック状態（すなわち、操作カバー部３０を回転限界角度まで回転させた状態）で摺動させる際の操作性を良好にすることができる。【００５７】
更に、回転可能範囲を４５°以下にすることにより、使用者が手首又は指をひねって操作カバー部３０を回転限界角度まで容易に回転させることができるため、スライダー１の上述したアンロック状態での操作性をより向上させることができる。その上、例えば操作カバー部３０の回転不足によりアンロック状態への切換えが適切にできなくなる等の不具合を生じさせ難くし、操作カバー部３０による切換え操作の操作性も向上させることができる。【００５８】
なお、操作カバー部３０の回転限界角度が、１０°以上、好ましくは２０°以上に設定されることにより、操作カバー部３０の後述する押圧突出部３４による停止爪体４０の押し下げ量を円滑に変化させることができ、それによって、スライダー１のロック状態からアンロック状態への切り換えを安定して行うことができる。特に、操作カバー部３０の回転限界角度は、上述したようなスライダー１のアンロック状態での操作性、切換え操作の操作性、アンロック状態への切り換えの円滑さや安定性を総合的に考慮すると、本実施例１のように３０°に設定されることが好ましい。【００５９】
ベース部２０に凹設される半円形状の中央収容凹部２２は、ベース部２０に操作カバー部３０を所定の向きで取り付けたときに、操作カバー部３０の後述する爪用突出部３５を挿入して収容可能で、且つ、操作カバー部３０を回転させても爪用突出部３５の収容状態を維持可能な位置及び大きさで形成されている。なお、この中央収容凹部２２は、操作カバー部３０の爪用突出部３５を収容可能であれば、操作カバー部３０の回転軸を中心とする円弧状の形態で形成されていても良い。【００６０】
円弧状のガイド凹溝部２３は、ベース部２０の後端部における幅方向の中央領域に凹設されており、ベース部２０に操作カバー部３０を所定の向きで取り付けたときに、操作カバー部３０の後述するガイド突出部３６を挿入して収容することが可能である。このガイド凹溝部２３は、左右一対のバネ収容部２４に連通している。この場合、ガイド凹溝部２３の底面と左右のバネ収容部２４の各底面とは、連続する単一の平坦面に形成されており、ガイド凹溝部２３の深さ寸法と、左右のバネ収容部２４の深さ寸法とは同じ大きさである。【００６１】
左右のバネ収容部２４は、スライダー本体部１０の平面視において矩形を呈するように形成されている。この場合、バネ収容部２４は、ガイド用コイルバネ７の大きさに対応して形成されており、各バネ収容部２４に１つのガイド用コイルバネ７を収容したときに、当該ガイド用コイルバネ７をがたつかないように保持することができる。また、左右のバネ収容部２４は、ベース部２０に取り付けられた操作カバー部３０を上述した所定の回転角度範囲で回転させても、操作カバー部３０のガイド突出部３６がベース部２０に干渉しない大きさで形成されている。【００６２】
停止爪体４０は、平板状の基板部４１と、基板部４１の後端部から下方に屈曲して延出する爪部４２と、基板部４１の長さ方向における略中央部から幅方向に延出する左右一対の円柱状の揺動軸部４３とを有する。基板部４１の長手方向の寸法（すなわち、基板部４１の前端縁から爪部４２との境界部（屈曲部）までの寸法）は、スライダー本体部１０の下翼板１２における長さ寸法の最大値の半分よりも大きく設定されている。これにより、スライダー１において停止爪体４０の基板部４１の前端部を押し下げたときに、停止爪体４０の爪部４２をエレメント案内路１４から安定して退出させることができる。【００６３】
爪部４２の先端部は、爪部４２の基板部４１に連結する基端部に対して幅寸法を小さくして形成されており、且つ、基端部に対して右側又は左側に変位して設けられている。このように爪部４２の先端部が左右方向に変位していることにより、当該爪部４２の先端部を、噛合した左右のエレメント列の一方に安定して挿入させて係合させることができる。【００６４】
操作カバー部３０は、スライダー本体部１０に取り付ける前の状態において、図４に示すように、円盤状の天板部３１と、天板部３１の外周縁部から天板部３１の内面３１ａに対して直交する方向に突出するリング状の摺接壁部３２と、摺接壁部３２の先端面から更に突出する左右一対の円弧状の突条部３３と、天板部３１の前半部における内面３１ａから突出する押圧突出部３４及び爪用突出部３５と、天板部３１の後端部における内面３１ａから突出するガイド突出部３６とを有する。【００６５】
操作カバー部３０の天板部３１は、スライダー１の平面視にて円形を呈するとともに、平坦な外面（上面）及び内面（下面）３１ａを有する。この場合、円形状の天板部３１における直径は、ベース部２０の直径よりも大きく、更には、下翼板１２の長さ寸法の最大値よりも大きい。これにより、操作カバー部３０をスライダー本体部１０に取り付けたときに、天板部３１でスライダー本体部１０を上方から覆うことができるため、例えば組み立てられた本実施例１のスライダー１を上方から見たときに、スライダー本体部１０を天板部３１の裏面側に隠して、円形の天板部３１のみを視認させることができる。【００６６】
その結果、本実施例１のスライダー１は、従来のスライダーでは得られなかったシンプルで洗練された外観を有することができ、例えば他のスライダーとの差別化を容易に図ることができる。また本実施例１では、天板部３１の外面（上面）に、文字やロゴを印字したり、刻んだりすることや、様々な装飾等を施すことが可能であり、それによって、スライダー１の外観品質を高めることや、オリジナル性や希少性を高めることが可能となる。【００６７】
摺接壁部３２は、操作カバー部３０をスライダー本体部１０に取り付けたときに、摺接壁部３２の内周壁面がベース部２０の外周側面の全体に接するように形成されている。これによって、スライダー本体部１０に取り付けられた操作カバー部３０ががたつくことを防止できる。また、摺接壁部３２の内周壁面は、スライダー本体部１０に取り付けられた操作カバー部３０が回転するときに、ベース部２０の外周側面に摺接させることができる。これにより、操作カバー部３０をスライダー本体部１０に対して一定の回転軸で安定して回転させることができる。【００６８】
本実施例１の摺接壁部３２では、摺接壁部３２の外周側面が滑らかな筒状に形成されており、それによって、スライダー１の良好な肌触りが得られるとともに、スライダー１の洗練された外観が保持されている。一方、操作カバー部３０における摺接壁部３２の外周側面は、操作カバー部３０を後述するように回転操作する場合に、使用者が指で摘まむ部分となる。このため、本発明では、操作カバー部３０を回転させる操作の操作性を高めるために、摺接壁部３２の外周側面に、例えば滑り止め用の微小な凹凸、指の太さに対応するような窪み部、又は、指の引っ掛かりを付ける突起部等を形成することや、摺接壁部３２の外周側面に滑り止め用のゴムなどを取り付けることも可能である。【００６９】
本実施例１において、操作カバー部３０に設けられる左右の突条部３３は、操作カバー部３０をスライダー本体部１０のベース部２０に被せた後、突条部３３を操作カバー部３０の回転軸となる中心部に向けて倒すように押圧する、又は、突条部３３を摺接壁部３２に向けて潰すように押圧することにより、図５に示した左右の薄板状の取付片部３７に塑性変形させることができる。【００７０】
このように突条部３３を取付片部３７に塑性変形させることにより、操作カバー部３０をスライダー本体部１０のベース部２０に回転可能に安定して取着でき、また、取り付けられた操作カバー部３０がスライダー本体部１０から外れることを効果的に防止できる。なお本発明において、操作カバー部３０をスライダー本体部１０のベース部２０に回転可能に取り付ける手段又は方法は特に限定されず、その他の取付手段又は取付方法を採用することも可能である。【００７１】
操作カバー部３０の押圧突出部３４は、操作カバー部３０をスライダー本体部１０に取り付けたときにベース部２０の収容凹溝部２１に挿入されるように、収容凹溝部２１の形成位置に対応して設けられている。この押圧突出部３４は、操作カバー部３０の底面視にて、操作カバー部３０の回転軸を中心とする円弧状に形成されており、それによって、操作カバー部３０をスライダー本体部１０に取り付けて回転させたときに、ベース部２０の円弧状の収容凹溝部２１内を引っ掛かることなく円滑に移動することができる。【００７２】
この押圧突出部３４は、押圧突出部３４の左右両端部に配されるとともに天板部３１の内面３１ａからの突出寸法（上下方向における寸法）が最も大きい左側の第１解除用突出部３４ａ及び右側の第２解除用突出部３４ｅと、押圧突出部３４の中央部に配されるとともに天板部３１の内面３１ａからの突出寸法が最も小さいロック用突出部３４ｃと、第１解除用突出部３４ａ及びロック用突出部３４ｃ間に連続的に形成される第１連結突出部３４ｂと、第２解除用突出部３４ｅ及びロック用突出部３４ｃ間に連続的に形成される第２連結突出部３４ｄとを有する。【００７３】
この場合、第１連結突出部３４ｂ及び第２連結突出部３４ｄは、第１解除用突出部３４ａ又は第２解除用突出部３４ｅからロック用突出部３４ｃに向けて天板部３１からの突出寸法を漸減させて形成されている。また、第１連結突出部３４ｂの頂端面及び第２連結突出部３４ｄの頂端面は、第１解除用突出部３４ａ又は第２解除用突出部３４ｅからロック用突出部３４ｃに向けて連続的に傾斜する傾斜面に形成されており、このように一方に向けて傾斜する各頂端面は、段差のない滑らかに連続する表面に形成されている。ここで、第１連結突出部３４ｂの頂端面及び第２連結突出部３４ｄの頂端面とは、天板部３１から突出する第１連結突出部３４ｂ及び第２連結突出部３４ｄの突出先端部に、天板部３１から上下方向に離れて形成される表面（突出端面）を言う。【００７４】
押圧突出部３４が上述のように形成されていることにより、本実施例１のスライダー１において、例えば操作カバー部３０が、押圧突出部３４のロック用突出部３４ｃを停止爪体４０の直上に位置させる基準位置で保持されている状態では、例えば図９に示すように押圧突出部３４のロック用突出部３４ｃが停止爪体４０から僅かに離間する（又は停止爪体４０を下方に押圧しない程度に停止爪体４０に接触する）ため、停止爪体４０の前端部が爪用コイルバネ６によって上方に付勢されて最も高い位置に保持される状態が維持される。それにより、停止爪体４０の爪部４２がスライダー本体部１０のエレメント案内路１４内に突出するため、スライダー１をエレメント列に対して摺動不能にするロック状態に保持できる。【００７５】
一方、例えば操作カバー部３０を時計回り方向又は反時計回り方向に回転させることにより、押圧突出部３４の第１解除用突出部３４ａ又は第２解除用突出部３４ｅを停止爪体４０の直上に移動させることができる。これによって、当該第１解除用突出部３４ａ又は第２解除用突出部３４ｅを停止爪体４０の前端部に当接させ、当該停止爪体４０の前端部を爪用コイルバネ６の付勢力に抗して下方に押圧して押し下げることができる。その結果、停止爪体４０の爪部４２をスライダー本体部１０のエレメント案内路１４内から退出させて、スライダー１をエレメント列に対して摺動可能なアンロック状態にすることができる。【００７６】
更に本実施例１の押圧突出部３４には、上述したように段差のない滑らかに傾斜する頂端面を備えた第１連結突出部３４ｂ及び第２連結突出部３４ｄが設けられているため、操作カバー部３０を基準位置（スライダー１のロック状態）から回転させて押圧突出部３４の第１解除用突出部３４ａ又は第２解除用突出部３４ｅを停止爪体４０の直上位置に移動させるときに、停止爪体４０の前端部を第１連結突出部３４ｂ又は第２連結突出部３４ｄに摺接させることができ、それによって、停止爪体４０の前端部を少しずつ下方に押し下げることができる。その結果、スライダー１をロック状態からアンロック状態に円滑に且つ安定して切り換えることができる。【００７７】
また同様に、スライダー１のアンロック状態から操作カバー部３０を回転させて押圧突出部３４のロック用突出部３４ｃを停止爪体４０の直上位置に移動させるときに、停止爪体４０の前端部を、第１連結突出部３４ｂ又は第２連結突出部３４ｄに摺接させることができ、それによって、爪用コイルバネ６の付勢力によって少しずつ上昇させることができる。その結果、スライダー１をアンロック状態からロック状態に円滑に且つ安定して切り換えることができる。【００７８】
操作カバー部３０の爪用突出部３５は、操作カバー部３０の底面視にて、押圧突出部３４よりも半径方向内側に、且つ、操作カバー部３０の回転軸を中心とする円弧状に形成されている。また、爪用突出部３５は、天板部３１の内面３１ａからの突出寸法を一定の大きさにして形成されている。この場合、爪用突出部３５における天板部３１の内面３１ａからの突出寸法は、押圧突出部３４のロック用突出部３４ｃにおける天板部３１の内面３１ａからの突出寸法よりも大きく、且つ押圧突出部３４の第１解除用突出部３４ａ及び第２解除用突出部３４ｅにおける天板部３１の内面３１ａからの突出寸法よりも小さく設定されている。【００７９】
この爪用突出部３５は、操作カバー部３０をスライダー本体部１０に取り付けたときにベース部２０の中央収容凹部２２に挿入されて収容され、且つ、ベース部２０の爪体収容凹部１８に収容されている停止爪体４０の上面に当接する。また、爪用突出部３５は、操作カバー部３０をスライダー本体部１０に取り付けて回転させたときに、ベース部２０の中央収容凹部２２内を引っ掛かることなく円滑に移動できる。更に、爪用突出部３５は、操作カバー部３０を上述した所定の回転可能範囲内で回転させても、爪体収容凹部１８に収容されている停止爪体４０の上面に当接している状態を常に保持することができ、それによって、停止爪体４０が爪体収容凹部１８から抜け出すことを防止して、停止爪体４０を爪体収容凹部１８内に上下方向に揺動可能に安定して保持できる。【００８０】
操作カバー部３０のガイド突出部３６は、操作カバー部３０の後端部に操作カバー部３０の回転軸を中心とする円弧状に形成されており、且つ、天板部３１の内面３１ａからの突出寸法を一定の大きさにして形成されている。また、ガイド突出部３６は、操作カバー部３０をスライダー本体部１０に基準位置で取り付けたときに、ベース部２０のガイド凹溝部２３に挿入されて収容される。更に、ガイド突出部３６は、操作カバー部３０を上述した所定の回転可能範囲内で時計回り方向又は反時計回り方向に回転させることにより、ベース部２０の左右のバネ収容部２４の一方に進入すると同時に、バネ収容部２４内に保持されているガイド用コイルバネ７によって、ガイド凹溝部２３に戻る方向（回転を戻す方向）の付勢力が加えられる。【００８１】
本実施例１の操作カバー部３０において、ガイド突出部３６の左右両側には、操作カバー部３０の内面３１ａがガイド用コイルバネ７に接することを回避する左右の回避用凹部３８が凹設されている。この場合、左右の回避用凹部３８は、操作カバー部３０の回転軸を中心とする円弧状に設けられている。【００８２】
次に、上述のようなスライダー本体部１０、停止爪体４０、爪用コイルバネ６、２つのガイド用コイルバネ７、及び、操作カバー部３０を用いて、本実施例１のスライダー１を組み立てる方法について説明する。【００８３】
先ず、図２に仮想線の矢印で示すように、爪用コイルバネ６をスライダー本体部１０の有底収容孔部１７に上方から挿入し、更に、停止爪体４０をスライダー本体部１０の爪体収容凹部１８に挿入して収容する。このとき、停止爪体４０における基板部４１の前端部が爪用コイルバネ６の上に載置される。更に、２つのガイド用コイルバネ７を、ベース部２０の左右のバネ収容部２４にそれぞれ１つずつ挿入する。これにより、爪用コイルバネ６、停止爪体４０、及び２つのガイド用コイルバネ７が、図３に示すように、スライダー本体部１０に組み付けられる。【００８４】
次に、スライダー本体部１０のベース部２０に操作カバー部３０を被せるように取り付ける。このとき、操作カバー部３０の摺接壁部３２をベース部２０の外周側面の全体に接触させるとともに、操作カバー部３０の向きを少なくともガイド突出部３６をベース部２０のガイド凹溝部２３内に収容するように合せる。これにより、操作カバー部３０を、スライダー本体部１０のベース部２０に対し、スライダー１のロック状態が維持される基準位置で仮保持できる。【００８５】
操作カバー部３０をスライダー本体部１０に仮保持した後、操作カバー部３０に設けた左右の突条部３３を、幅方向の内側に向けて倒すように、又は、突条部３３を摺接壁部３２に向けて潰すように押圧する。これにより、左右の突条部３３が塑性変形して、図５に示したように、左右の取付片部３７がリング状摺接壁部３２の中心部に向けて延びるように形成され、その形成された各取付片部３７が、ベース部２０の下面側に設けた摺接部（摺接凹部）２０ｂの一部に重なる。このような左右の取付片部３７の形成により、操作カバー部３０が、スライダー本体部１０に、スライダー１の平面視で時計回り方向及び反時計回り方向の両方に回転可能に取り付けられるため、図１に示した本実施例１のスライダー１が製造される。
以上のように、本実施例１のスライダー１は、比較的簡単な組み立て工程で容易に製造することができる。【００８６】
その後、上述のようにして製造された本実施例１のスライダー１を、左右一対のファスナーストリンガーに設けられたコイル状のファスナーエレメントからなるエレメント列に摺動可能に取り付けることによって、スライドファスナーを製造することができる。【００８７】
製造された本実施例１のスライダー１では、操作カバー部３０が操作されていない非操作状態のときに、例えば図８に示すように、操作カバー部３０のガイド突出部３６が、ベース部２０のガイド凹溝部２３に収容され、且つ、左右のガイド用コイルバネ７に挟まれた状態でそれぞれに当接している。これにより、操作カバー部３０のガイド突出部３６が、ガイド用コイルバネ７が収容されている左右のバネ収容部２４内に勝手に進入することを防止し、ガイド凹溝部２３内に留めておくことができる。【００８８】
また、上述のように操作カバー部３０のガイド突出部３６がベース部２０のガイド凹溝部２３内で保持されている場合、図９に示したように、操作カバー部３０における押圧突出部３４の中央部に配されたロック用突出部３４ｃが、停止爪体４０の直上に停止爪体４０から僅かに離間した状態で配されており、また、停止爪体４０の基板部４１の前端部が、爪用コイルバネ６に当接して保持されている。これにより、停止爪体４０の爪部４２を、スライダー本体部１０の爪孔部１８ｃを介してエレメント案内路１４内に突出させるとともに、爪部４２がエレメント案内路１４内に突出している状態を維持できる。その結果、スライドファスナーのスライダー１を、エレメント列に対して移動しないように停止爪体４０によってロックされたロック状態に保持することができる。【００８９】
本発明では、スライダー１が上述のようにロック状態に保持されているときの操作カバー部３０の位置（回転位置）を基準位置と規定する。また、この操作カバー部３０の基準位置では、上述のように操作カバー部３０のガイド突出部３６が、左右のガイド用コイルバネ７によってガイド凹溝部２３からバネ収容部２４に移動しないように保持されているため、操作カバー部３０を基準位置から回転しないように安定して保持できる。【００９０】
一方、本実施例１のスライダー１をスライドファスナーのエレメント列に沿って摺動させる場合は、使用者がスライダー１の操作カバー部３０（特に操作カバー部３０の摺接壁部３２の外周面）を指で保持し、操作カバー部３０を上記基準位置から、スライダー１の平面視における時計回り方向及び反時計回り方向の何れか一方に回転させる。【００９１】
これにより、操作カバー部３０のガイド突出部３６がガイド用コイルバネ７の付勢力に抗して左右のバネ収容部２４の一方の内部に進入する。また、操作カバー部３０の押圧突出部３４が、操作カバー部３０の回転に伴って、ベース部２０の円弧状に形成された収容凹溝部２１内を移動する。このとき、押圧突出部３４は、当該押圧突出部３４の第１連結突出部３４ｂ又は第２連結突出部３４ｄと、第１解除用突出部３４ａ又は第２解除用突出部３４ｅとを停止爪体４０の基板部４１に順番に当接させて、基板部４１の前端部を爪用コイルバネ６の付勢力に抗して押し下げることができる。【００９２】
特に本実施例１では、第１連結突出部３４ｂ及び第２連結突出部３４ｄにおける天板部３１の内面３１ａからの突出寸法を、押圧突出部３４のロック用突出部３４ｃから第１解除用突出部３４ａ又は第２解除用突出部３４ｅに向けて漸増するように変化させているため、操作カバー部３０の回転角度が大きくなるにつれて、基板部４１の前端部を爪用コイルバネ６の付勢力に抗して徐々に大きく押し下げて、停止爪体４０を揺動軸部４３を中心として回転させることができる。【００９３】
そして、押圧突出部３４の第１解除用突出部３４ａ又は第２解除用突出部３４ｅを停止爪体４０の基板部４１に当接させることにより、基板部４１の前端部が押圧突出部３４によって大きく押し下げられるため、停止爪体４０の爪部４２をスライダー本体部１０のエレメント案内路１４から退出させて、スライダー１をエレメント列に沿って摺動可能なアンロック状態（ロック解除状態）にすることができる。【００９４】
また本実施例１の場合、上述のように操作カバー部３０を回転させて、押圧突出部３４の第１解除用突出部３４ａ又は第２解除用突出部３４ｅを停止爪体４０に当接させたときに、当該押圧突出部３４が、収容凹溝部２１に形成された左右の側端面（規制端面）２１ａの一方に当接するため、操作カバー部３０がそれ以上回転しないように操作カバー部３０の回転を制限できる。これにより、押圧突出部３４の第１解除用突出部３４ａ又は第２解除用突出部３４ｅが停止爪体４０に当接している状態が保持されるため、スライダー１のアンロック状態を安定して維持することができる。【００９５】
その後、使用者がスライダー１の操作カバー部３０から指を離すことによって、ベース部２０に収容されている左右のガイド用コイルバネ７の一方が操作カバー部３０のガイド突出部３６を付勢して、当該ガイド突出部３６をベース部２０のガイド凹溝部２３に移動させる。それによって、操作カバー部３０を上述した基準位置まで自動的に回転させることができる。更に、操作カバー部３０のガイド突出部３６がベース部２０のガイド凹溝部２３に収容されて操作カバー部３０が基準位置で保持されることにより、図９に示したように停止爪体４０の直上に押圧突出部３４のロック用突出部３４ｃが配置されるため、スライダー１をロック状態にすることができる。【００９６】
以上のように本実施例１のスライダー１では、操作カバー部３０を操作しない非操作状態のときには、操作カバー部３０が基準位置から回転しないように保持されて、スライダー１をロック状態に維持できる。また、操作カバー部３０を基準位置から回転させることによって、スライダー１をロック状態からアンロック状態に容易に切り換えることができ、それによって、スライダー１をエレメント列に沿って円滑に摺動させることができる。更に、スライダー１の摺動操作後には、使用者が操作カバー部３０から指を離すだけで、スライダー１のロック状態に自動的に切り換えることができる。【００９７】
このように本実施例１のスライダー１では、上述のようなロック状態とアンロック状態とを操作カバー部３０の回転で容易にまた円滑に切り換えでき、且つ、ロック状態への切換えを自動的に行うことができる自動停止機構を、比較的少ない部品点数で、また、比較的簡単な構造で設けることができる。その結果、本発明のスライダー１は、上述したような簡単な組み立て作業で容易に製造することが可能となるため、製造コストの削減や生産性の向上を図ることができる。
【実施例２】
【００９８】
図１０は、本実施例２に係るスライダーの分解斜視図である。図１１は、操作カバー部が取り付けられる前の状態を模式的に示す斜視図である。図１２は、操作カバー部を内面側から見た斜視図である。【００９９】
本実施例２のスライダー２は、操作カバー部６０を基準位置に保持するとともに回転した操作カバー部６０を基準位置に戻すための機構を、前述の実施例１のスライダー１とは異なる形態で形成されているが、本実施例２のスライダー２において、当該機構を形成する部分以外の形態は、前述の実施例１のスライダー１と実質的に同様に形成されている。従って、本実施例２では、前述の実施例１のスライダー１と異なる部分について主に説明し、実施例１のスライダー１と実質的に同じ形態又は構成を有する部分には、実施例１と同じ符号を用いて表すことによって、当該部分の説明を省略する。【０１００】
本実施例２のスライダー２は、スライダー本体部１０ａと、停止爪体４０と、スライダー本体部１０ａの所定の位置に保持される１つの爪用コイルバネ６及び１つのガイド用コイルバネ７と、操作カバー部６０とを有する。スライダー本体部１０ａは、上翼板１１と一体的に形成される円盤状のベース部５０を有し、このベース部５０の後半部には、ガイド用コイルバネ７を収容する１つのバネ収容部５４と、バネ収容部５４に連結する左右一対の円弧状のガイド凹溝部５３とが設けられている。【０１０１】
本実施例２のバネ収容部５４は、ベース部５０の後端部における幅方向の中央領域に、スライダー本体部１０ａの平面視において矩形を呈するように形成されている。左右のガイド凹溝部５３は、バネ収容部５４の両端部からベース部５０の周方向に沿って延びるとともに、操作カバー部６０の回転軸を中心とする円弧状に形成されている。また、左右のガイド凹溝部５３は、ベース部５０に操作カバー部６０を基準位置で取り付けたときに、操作カバー部６０のガイド突出部６６をそれぞれ挿入して収容することが可能である。【０１０２】
本実施例２において、操作カバー部６０の後半部には、幅方向の中央部に配されるとともに操作カバー部６０がガイド用コイルバネ７に接することを回避する回避用凹部６８と、回避用凹部６８の左右両端側に配されるとともに天板部３１の内面３１ａから突出する左右一対のガイド突出部（第１ガイド突出部及び第２ガイド突出部）６６とが設けられている。この場合、回避用凹部６８と左右のガイド突出部６６とは、操作カバー部６０の回転軸を中心とする円弧状に形成されている。【０１０３】
上述のようなスライダー本体部１０ａ及び操作カバー部６０を有する本実施例２のスライダー２では、操作カバー部６０が操作されていない非操作状態の場合、操作カバー部６０の左右一対のガイド突出部６６がベース部５０の左右のガイド凹溝部５３にそれぞれ収容され、且つ、左右のガイド突出部６６が、幅方向の中央部に収容される１つのガイド用コイルバネ７を間に挟むように当接して保持されている。これにより、操作カバー部６０の左右のガイド突出部６６が、ベース部５０のガイド凹溝部５３内を勝手に移動することや、中央のバネ収容部５４内に勝手に進入することを防止できる。これにより、操作カバー部６０が基準位置で安定して保持されるため、スライダー２のロック状態を維持できる。【０１０４】
また、使用者がスライダー２の操作カバー部６０を指で保持し、操作カバー部６０を基準位置から、スライダー２の平面視における時計回り方向及び反時計回り方向の何れか一方に回転させることによって、左右のガイド突出部６６の一方を、ガイド用コイルバネ７の付勢力に抗して中央のバネ収容部５４内に進入させるとともに、押圧突出部３４で停止爪体４０の基板部４１の前端部を押圧して押し下げることができる。それによって、スライダー２をロック状態からアンロック状態に容易に切り換えることができる。更にその後、使用者が操作カバー部６０から指を離すことによって、スライダー２をロック状態に自動的に切り換えることができる。
従って、本実施例２のスライダー２では、前述の実施例１のスライダー１と同様の効果を得ることができる。
【実施例３】
【０１０５】
図１３は、本実施例３に係るスライダーの操作カバー部が取り付けられる前の状態を模式的に示す斜視図である。図１４は、操作カバー部を内面側から見た斜視図である。【０１０６】
本実施例３のスライダー３は、スライダー本体部１０ｂに停止爪体４０を揺動可能に保持するための構造が、前述の実施例２のスライダー２と異なるが、本実施例３のスライダー３において、停止爪体４０の保持構造以外の形態は、前述の実施例２のスライダー２と実質的に同様に形成されている。【０１０７】
本実施例３のスライダー３は、スライダー本体部１０ｂと、停止爪体４０と、スライダー本体部１０ｂの所定の位置に保持される１つの爪用コイルバネ６及び１つのガイド用コイルバネ７と、操作カバー部８０とを有する。スライダー本体部１０ｂは、上翼板１１と一体的に形成される円盤状のベース部７０を有する。【０１０８】
本実施例３のベース部７０には、円弧状の収容凹溝部２１と、ガイド用コイルバネ７を収容するバネ収容部５４と、バネ収容部５４に連結する左右一対の円弧状のガイド凹溝部５３とが設けられているものの、前述の実施例１及び２のベース部２０，５０に凹設されている半円形状の中央収容凹部２２が形成されていない。【０１０９】
また、このベース部７０には、爪体収容凹部１８の左右両側に、スライダー本体部１０ｂの平面視にて矩形状を呈する左右一対の爪体固定用凹部７１が穿設されているとともに、各爪体固定用凹部７１内には、例えば図１５に示すように、停止爪体４０の揺動軸部４３を回転可能に保持する爪体保持部７２がそれぞれ設けられている。【０１１０】
この場合、各爪体保持部７２は、爪体固定用凹部７１の底面から起立する前後一対の前方固定柱７２ａ及び後方固定柱７２ｂを有する。前方固定柱７２ａ及び後方固定柱７２ｂは、前方固定柱７２ａと後方固定柱７２ｂとの間に停止爪体４０の揺動軸部４３を挿入可能な間隙を形成するように離間して配されている。また、前方固定柱７２ａ及び後方固定柱７２ｂは、上方に向けて長さ寸法を漸減させるような先細状の形態を有するとともに、互いに面対称となる形態を有する。【０１１１】
本実施例３の操作カバー部８０は、前述の実施例２の操作カバー部６０から爪用突出部３５が排除された形態で形成されている。すなわち、この操作カバー部８０は、爪用突出部３５が排除されていることを除いて、前述の実施例２の操作カバー部６０と同様に形成されている。【０１１２】
本実施例３のスライダー本体部１０ｂに設けられた左右の爪体保持部７２は、図１５に示すように、前方固定柱７２ａと後方固定柱７２ｂの間に停止爪体４０の揺動軸部４３を挿入し、その後、前方固定柱７２ａと後方固定柱７２ｂの上端部を互いに接近する方向に押圧して塑性変形させ、前方固定柱７２ａの上端部と後方固定柱７２ｂの上端部とを図１６に示すように接近又は当接させる。これにより、停止爪体４０をスライダー本体部１０ｂの爪体収容凹部１８内に揺動可能に安定して保持することができる。【０１１３】
以上のような本実施例３のスライダー３においても、前述の実施例１及び実施例２のスライダー１，２と同様の効果を得ることができる。【０１１４】
なお、実施例１〜実施例３のスライダー１，２，３では、操作カバー部３０，６０，８０が金属により形成されているとともに、操作カバー部３０，６０，８０に左右の突条部３３が設けられている（図４等を参照）。そして、操作カバー部３０，６０，８０をスライダー本体部１０，１０ａ，１０ｂに回動可能に取り付ける場合には、操作カバー部３０，６０，８０に設けた左右の突条部３３を押圧して薄板状の取付片部３７に塑性変形させる作業が行われる。【０１１５】
しかし本発明では、操作カバー部が、合成樹脂で形成されるとともに、左右の突条部の代わりに左右の薄板状の取付片部を始めから備えている形態で形成されていても良い。このような合成樹脂性の操作カバー部であれば、操作カバー部を僅かに弾性変形させながらベース部２０，５０，７０に嵌め込むことにより、その操作カバー部をスナップ係合でスライダー本体部１０，１０ａ，１０ｂに回転可能に取り付けることが可能となる。【０１１６】
また、実施例１〜実施例３のスライダー１，２，３では、操作カバー部３０，６０，８０が、ベース部２０，５０，７０に対してスライダー１，２，３の正面視で時計回り方向と反時計回り方向の両方向に回転することが可能に取り付けられている。しかし、本発明では、操作カバー部が、ベース部に対してスライダーの正面視で時計回り方向と反時計回り方向の何れか一方向のみに回転するようにスライダーを形成することも可能である。この場合、操作カバー部の天板部の裏面に設けられる押圧突出部は、実施例１〜実施例３で形成される２つの第１及び第２解除用突出部３４ａ，３４ｅを備えた押圧突出部３４とは異なる形態に、すなわち、アンロック状態を保持する１つの解除用突出部と、解除用突出部よりも天板部からの突出寸法を小さくした１つのロック用突出部と、解除用突出部及びロック用突出部間に連続して形成される１つの連結突出部とを有する形態に形成される。更にこの場合、ベース部に形成される収容凹溝部も、上述の押圧突出部の形態に対応して、例えば、停止爪体と少なくとも一部が重なる位置から、時計回り方向と反時計回り方向の何れか一方向に円周方向に沿って延びるように形成される。【０１１７】
更に、実施例１〜実施例３のスライダー１，２，３では、スライダー本体部１０，１０ａ，１０ｂのベース部２０，５０，７０に少なくとも１つのバネ収容部２４，５４を設けてガイド用コイルバネ７を収容するとともに、そのバネ収容部２４，５４に連結する少なくとも１つのガイド凹溝部２３，５３を設け、且つ、操作カバー部３０，６０，８０の天板部３１内面３１ａに、ガイド凹溝部２３，５３に収容される少なくとも１つのガイド突出部３６，６６を突設することにより、操作カバー部３０，６０，８０を基準位置に保持するとともに回転した操作カバー部３０，６０，８０を基準位置に戻すための機構が形成されている。【０１１８】
しかし本発明では、操作カバー部の回転操作でロック状態とアンロック状態を切り換えることが可能であれば、操作カバー部を基準位置に保持し、且つ戻すための機構を設けずに（すなわち、スライダー本体部のベース部に収容するガイド用コイルバネや、操作カバー部のガイド突出部などを設けずに）、スライダーを形成することも可能である。
【符号の説明】
【０１１９】
１，２，３        スライダー
６                爪用コイルバネ（爪用弾性部材）
７                ガイド用コイルバネ（ガイド用弾性部材）
１０                スライダー本体部
１０ａ，１０ｂ      スライダー本体部
１１                上翼板
１２                下翼板
１３                連結柱
１４                エレメント案内路
１５                フランジ部
１６                リブ部
１７                有底収容孔部
１８                爪体収容凹部
１８ａ              本体収容凹部
１８ｂ              軸収容凹部
１８ｃ              爪孔部
２０                ベース部
２０ａ              上面
２０ｂ              摺接部（摺接凹部）
２１                収容凹溝部
２１ａ              側端面（規制端面）
２２                中央収容凹部
２３                ガイド凹溝部
２４                バネ収容部
３０                操作カバー部
３１                天板部
３１ａ              内面（下面）
３２                摺接壁部
３３                突条部
３４                押圧突出部
３４ａ              第１解除用突出部
３４ｂ              第１連結突出部
３４ｃ              ロック用突出部
３４ｄ              第２連結突出部
３４ｅ              第２解除用突出部
３５                爪用突出部
３６                ガイド突出部
３７                取付片部
３８                回避用凹部
４０                停止爪体
４１                基板部
４２                爪部
４３                揺動軸部
５０                ベース部
５３                ガイド凹溝部
５４                バネ収容部
６０                操作カバー部
６６                ガイド突出部
６８                回避用凹部
７０                ベース部
７１                爪体固定用凹部
７２                爪体保持部
７２ａ              前方固定柱
７２ｂ              後方固定柱
８０                操作カバー部
【図１】
2020129217.tif 000003
【図２】
2020129217.tif 000004
【図３】
2020129217.tif 000005
【図４】
2020129217.tif 000006
【図５】
2020129217.tif 000007
【図６】
2020129217.tif 000008
【図７】
2020129217.tif 000009
【図８】
2020129217.tif 000010
【図９】
2020129217.tif 000011
【図１０】
2020129217.tif 000012
【図１１】
2020129217.tif 000013
【図１２】
2020129217.tif 000014
【図１３】
2020129217.tif 000015
【図１４】
2020129217.tif 000016
【図１５】
2020129217.tif 000017
【図１６】
2020129217.tif 000018
【国際調査報告】
2020129217.tif 000019
2020129217.tif 000020
2020129217.tif 000021
2020129217.tif 000022